(57)【要約】  本発明はビデオ監視システムに関連し、本システムは、監視カメラの観測可能エリアのビデオ画像を取り込むための監視カメラと、監視カメラによって（完全に、又は部分的に）取り込まれた画像又はその一部を、取り込まれた画像又は前記その一部／選択を描画するために複数の監視クライアントデバイスの各監視クライアントデバイスに分配するための監視サーバとを備える。監視カメラ及びサーバは第１のリンクを介して結合され、監視サーバは、各監視クライアントデバイスに結合される。ビデオ監視システムは、複数の監視クライアントデバイスの各監視クライアントデバイスからのビューポート要求に基づいて、監視カメラによって取り込まれた画像から、複数の監視クライアントデバイスの監視クライアントデバイスごとに個々のビューポートを選択するように構成されたビューポート選択部を更に備え、ビデオ監視システムは、前記複数の監視クライアントデバイスの各監視クライアントデバイスからのビューポート要求に基づいて前記監視カメラに対して行われることになる最適化動作を決定することができるビューポート最適化部と、複数の監視クライアントデバイスの各監視クライアントデバイスからのビューポート要求に基づいて、観測可能エリアを最適化するための最適化動作を実行するようにカメラに指示することができるビューポート最適化指示部とを更に備える。
2015506622.tif 000002
【特許請求の範囲】
【請求項１】
ビデオ監視のための方法であって、前記方法は、監視カメラ（ＣＡＭ）によって前記監視カメラの観測可能エリアのビデオ画像を取り込むことと、監視サーバ（ＶＳＳ）が前記監視カメラによって取り込まれた前記画像又はその一部を、前記取り込まれた画像又は前記その一部を描画するために複数の監視クライアントデバイス（ＳＣＤ１、ＳＣＤ２、ＳＣＤ３）の各監視クライアントデバイスに分配することとを含み、前記監視カメラ（ＣＡＭ）及び前記サーバは第１のリンクを介して結合され、前記監視サーバは前記複数の監視クライアントデバイス（ＳＣＤ１、ＳＣＤ２、ＳＣＤ３）の各監視クライアントデバイスに結合され、
前記ビデオ監視方法は、
ａ．前記複数の監視クライアントデバイス（ＳＣＤ１、ＳＣＤ２、ＳＣＤ３）の各監視クライアントデバイスからのビューポート要求に基づいて、前記監視カメラによって取り込まれた前記画像から、前記複数の監視クライアントデバイス（ＳＣＤ１、ＳＣＤ２、ＳＣＤ３）の監視クライアントデバイスごとに個々のビューポートを選択するステップを更に含み、前記ビデオ監視方法は、
ｂ．前記複数の監視クライアントデバイス（ＳＣＤ１、ＳＣＤ２、ＳＣＤ３）の各監視クライアントデバイスからのビューポート要求に基づいて前記監視カメラに対して行われることになる最適化動作を決定するステップと、
ｃ．前記複数の監視クライアントデバイス（ＳＣＤ１、ＳＣＤ２、ＳＣＤ３）の各監視クライアントデバイスからの前記ビューポート要求に基づいて、前記観測可能エリアを最適化するための前記最適化動作を実行するように前記カメラ（ＣＡＭ）に指示するステップとを更に含むことを特徴とする、ビデオ監視のための方法。
【請求項２】
ビデオ監視システムであって、前記システムは、監視カメラ（ＣＡＭ）の観測可能エリアのビデオ画像を取り込むための前記監視カメラと、前記監視カメラによって取り込まれた前記画像又はその一部を、前記取り込まれた画像又は前記その一部を描画するために複数の監視クライアントデバイス（ＳＣＤ１、ＳＣＤ２、ＳＣＤ３）の各監視クライアントデバイスに分配するための監視サーバ（ＶＳＳ）とを備え、前記監視カメラ（ＣＡＭ）及び前記サーバは第１のリンクを介して結合され、前記監視サーバは前記複数の監視クライアントデバイス（ＳＣＤ１、ＳＣＤ２、ＳＣＤ３）の各監視クライアントデバイスに結合され、前記ビデオ監視システムは、
ａ．前記複数の監視クライアントデバイス（ＳＣＤ１、ＳＣＤ２、ＳＣＤ３）の各監視クライアントデバイスからのビューポート要求に基づいて、前記監視カメラによって取り込まれた前記画像から、前記複数の監視クライアントデバイス（ＳＣＤ１、ＳＣＤ２、ＳＣＤ３）の監視クライアントデバイスごとに個々のビューポートを選択するように構成されたビューポート選択部（ＶＳＰ）を更に備え、前記ビデオ監視システムは、
ｂ．前記複数の監視クライアントデバイス（ＳＣＤ１、ＳＣＤ２、ＳＣＤ３）の各監視クライアントデバイスからのビューポート要求に基づいて前記監視カメラに対して行われることになる最適化動作を決定するように構成されたビューポート最適化部（ＶＯＰ）と、
ｃ．前記複数の監視クライアントデバイス（ＳＣＤ１、ＳＣＤ２、ＳＣＤ３）の各監視クライアントデバイスの前記ビューポート要求に基づいて、前記観測可能エリアを最適化するための前記最適化動作を実行するように前記カメラ（ＣＡＭ）に指示するように構成されたビューポート最適化指示部（ＶＯＩＰ）とを更に備えることを特徴とする、ビデオ監視システム。
【請求項３】
前記ビデオ監視システムが、前記複数の監視クライアントデバイス（ＳＣＤ１、ＳＣＤ２、ＳＣＤ３）の各監視クライアントデバイスの前記ビューポート要求に基づいて、前記観測可能エリアを最適化するための前記最適化動作を実行するように構成された、ビューポート最適化実行部（ＶＯＥＰ）を更に備えることを特徴とする、請求項２に記載のビデオ監視システム。
【請求項４】
前記最適化動作が、前記カメラがＰＴＺカメラである場合、前記カメラのパン、チルト又はズームのうちの少なくとも１つを適応させることを含むことを特徴とする、請求項２に記載のビデオ監視システム。
【請求項５】
前記最適化動作が、前記カメラがタイル生成カメラである場合、前記観測可能エリアのタイルを選択することを含むことを特徴とする、請求項２に記載のビデオ監視システム。
【請求項６】
前記最適化動作が、前記カメラがアクティブフィルタリングカメラである場合、取り込まれた前記画像にアルゴリズムを適用することを含むことを特徴とする、請求項２に記載のビデオ監視システム。
【請求項７】
請求項２に記載のビデオ監視システムにおいて用いるための監視サーバ（ＶＳＳ）であって、前記ビデオ監視サーバは、
ａ．前記複数の監視クライアントデバイス（ＳＣＤ１、ＳＣＤ２、ＳＣＤ３）の各監視クライアントデバイスからのビューポート要求に基づいて、前記監視カメラによって取り込まれた前記画像から、前記複数の監視クライアントデバイス（ＳＣＤ１、ＳＣＤ２、ＳＣＤ３）の監視クライアントデバイスごとに個々のビューポートを選択するように構成されたビューポート選択部（ＶＳＰ）を備え、前記ビデオ監視システムは、
ｂ．前記複数の監視クライアントデバイス（ＳＣＤ１、ＳＣＤ２、ＳＣＤ３）の各監視クライアントデバイスからのビューポート要求に基づいて前記監視カメラに対して行われることになる最適化動作を決定するように構成されたビューポート最適化部（ＶＯＰ）と、
ｃ．前記複数の監視クライアントデバイス（ＳＣＤ１、ＳＣＤ２、ＳＣＤ３）の各監視クライアントデバイスの前記ビューポート要求に基づいて、前記観測可能エリアを最適化するための前記最適化動作を実行するように前記カメラ（ＣＡＭ）に指示するように構成されたビューポート最適化指示部（ＶＯＩＰ）とを更に備えることを特徴とする、監視サーバ（ＶＳＳ）。
【請求項８】
請求項２に記載のビデオ監視システムにおいて用いるための監視カメラ（ＣＡＭ）であって、前記ビデオ監視カメラ（ＣＡＭ）は、前記複数の監視クライアントデバイス（ＳＣＤ１、ＳＣＤ２、ＳＣＤ３）の各監視クライアントデバイスの前記ビューポート要求に基づいて、前記観測可能エリアを最適化するための前記最適化動作を実行するように構成された、ビューポート最適化実行部（ＶＯＥＰ）を更に備えることを特徴とする、監視カメラ（ＣＡＭ）。
【請求項９】
前記ビデオ監視カメラ（ＣＡＭ）が、
ａ．前記複数の監視クライアントデバイス（ＳＣＤ１、ＳＣＤ２、ＳＣＤ３）の各監視クライアントデバイスからのビューポート要求に基づいて、前記監視カメラによって取り込まれた前記画像から、前記複数の監視クライアントデバイス（ＳＣＤ１、ＳＣＤ２、ＳＣＤ３）の監視クライアントデバイスごとに個々のビューポートを選択するように構成されたビューポート選択部（ＶＳＰ）を更に備え、前記ビデオ監視システムが、
ｂ．前記複数の監視クライアントデバイス（ＳＣＤ１、ＳＣＤ２、ＳＣＤ３）の各監視クライアントデバイスからのビューポート要求に基づいて前記監視カメラに対して行われることになる最適化動作を決定するように構成されたビューポート最適化部（ＶＯＰ）を更に備えることを特徴とする、請求項８に記載の監視カメラ（ＣＡＭ）。
【請求項１０】
前記最適化動作が、前記カメラがＰＴＺカメラである場合、前記カメラのパン、チルト又はズームのうちの少なくとも１つを適応させることを含むことを特徴とする、請求項８又は請求項９に記載の監視カメラ（ＣＡＭ）。
【請求項１１】
前記最適化動作が、前記カメラがタイル生成カメラである場合、前記観測可能エリアのタイルを選択することを含むことを特徴とする、請求項８又は請求項９に記載の監視カメラ（ＣＡＭ）。
【請求項１２】
前記最適化動作が、前記カメラがアクティブフィルタリングカメラである場合、取り込まれた前記画像にアルゴリズムを適用することを含むことを特徴とする、請求項８又は請求項９に記載の監視カメラ（ＣＡＭ）。
【発明の詳細な説明】
【技術分野】
【０００１】
本発明は、請求項１のプリアンブルにおいて記述されるようなビデオ監視のための方法、請求項２のプリアンブルにおいて記述されるような関連するシステム、請求項７のプリアンブルにおいて記述されるような監視サーバ及び請求項８において記述される関連する監視カメラに関する。
【背景技術】
【０００２】
現在、監視システムは、ＣＣＴＶストリームのためのシングルクライアントシステム（すなわち、制御室）からマルチクライアントシステムに発展しつつあり、マルチクライアントシステムでは、例えば、タブレットやスマートフォンを所持した監視員が単一の監視カメラからの複数のビデオ画像を使用する。そのようなビデオ監視システムは当該技術分野においてよく知られている。現在、そのようなビデオ監視システムは、監視カメラの観測可能エリアのビデオ画像を取り込むための監視カメラと、取り込まれた画像又はその一部を複数の監視クライアントデバイスの各監視クライアントデバイスに分配するための監視サーバとを備える。取り込まれた画像又はその一部は、各監視クライアントデバイスにおいて、取り込まれた画像又は前記その一部を描画するために用いられる。そのような一部は、監視カメラの観測可能エリアをカバーする、取り込まれた画像の中から選択された部分である。そのようなビデオ監視システムはビューポート選択のための手段を更に備え、その手段は、前記複数の監視クライアントデバイスのうちの各監視クライアントデバイスからのビューポート要求に基づいて、前記の監視カメラによって取り込まれ、監視サーバに向かって転送される画像から、前記複数の監視クライアントデバイスのうちの監視クライアントデバイスごとに個々のビューポートを選択することができる。
【０００３】
ビューポートは、特定の監視クライアントが視認することに関心がある、監視カメラの観測可能エリアから選択された部分である。ビューポート要求は、要求している監視クライアントが関心を持っている監視カメラの観測可能エリアの指示である。
【０００４】
これらのクライアントがそれぞれ、カメラによって観測可能である種々のエリアに焦点を合わせることを望む場合がある。これが固定カメラ上であるなら、仮想ビューポートを用いる（必要とされるエリアにズームインする）ことができる。最新の監視カメラは、物理的にパン／ズームする能力もある。複数の観測者が異なるビューポートを要求しているとき、当然、複数のパン、チルト及びズーム（ＰＴＺ）設定を有することはできない。仮想ビューポートを可能にするカメラもあるが、ＰＴＺの現在の物理的設定によって常に制約を受ける。
【発明の概要】
【発明が解決しようとする課題】
【０００５】
本発明の目的は、上記の知られているタイプからなるが、各クライアントデバイスに、各クライアントデバイスによって要求されるビューポートと最適に合致するビューポートを与えることができる、システム、関連する方法、クライアントデバイス及び監視サーバを提供することである。
【課題を解決するための手段】
【０００６】
本発明によれば、この目的は、請求項１において記述されるような方法、請求項２において記述されるようなシステム、請求項７において記述されるような監視サーバ及び請求項８において記述されるような監視カメラによって達成される。
【０００７】
実際には、最初に、複数の監視クライアントデバイスの各監視クライアントデバイスからのビューポート要求に基づいて、監視カメラに対して行われることになる最適化動作を決定し、この決定に基づいて、複数の監視クライアントデバイスのそれぞれからの全てのビューポート要求を最適に満たすことができるように、監視カメラは最適な被観測エリアを与えることになり、その後、前記複数の監視クライアントデバイスの各監視クライアントデバイスのビューポート要求に基づいて観測可能エリアを最適化するための最適化動作を実行するように監視カメラに指示する。
【０００８】
本発明の更なる利点は、複数の監視クライアントデバイスの各監視クライアントデバイスのビューポート要求に基づいて観測可能エリアを最適化することに起因して、監視カメラから監視サーバに向かって搬送する必要があるデータ（ストリーム）が少なくなり、そうすることで、カメラからサーバにビデオ画像を搬送するために必要とされる帯域幅を最適化することである。それゆえ、監視カメラの観測可能エリアが各監視クライアントデバイスの要求されるビューポートを最適にカバーするように最適化され、カメラのこの最適化された観測可能エリアをカバーする画像データしか監視カメラと結合されるサーバとの間のリンクを介して搬送される必要がないので、監視カメラと結合されるサーバとの間のリンクを介して搬送されるデータを少なくすることができる。
【０００９】
本発明の別の特徴が請求項３において記述される。
【００１０】
ビデオ監視システムは、複数の監視クライアントデバイスの各監視クライアントデバイスのビューポート要求に基づいて観測可能エリアを最適化するための実際の最適化動作を実行するように構成されたビューポート最適化部を更に備える。
【００１１】
最適化動作は、監視カメラがパンチルトズーム監視カメラである場合、監視カメラのパンチ、チルト又はズームのうちの少なくとも１つを適応させることを含むことができ、高精細度監視カメラの場合、最適化動作は、監視カメラの全観測可能エリアからタイルを選択する動作を含むことができる。最適化動作に合わせて、観測可能エリアを一緒にカバーする複数のタイルから少なくとも１つのタイルを選択することによって。
【００１２】
代替的には、又は更には、最適化動作は、監視カメラによるアルゴリズムの適用を含むことができ、そのアルゴリズムは、観測可能エリアから要素を選択するフィルタリングアルゴリズムとすることができ、その選択は、各要求を最適に満たすことができるように、複数の監視クライアントデバイスの各監視クライアントデバイスのビューポート要求に基づいて実行される。
【００１３】
本発明の別の特徴が請求項４及び請求項１０において記述される。
【００１４】
監視カメラがパンチルトズーム監視カメラである場合、最適化動作は、監視カメラのパンチ、チルト又はズームのうちの少なくとも１つを適応させることを含むことができる。最適化動作に合わせて、監視カメラのパン、チルト又はズームのうちの少なくとも１つを変更することによって、前記複数の監視クライアントデバイスの各監視クライアントデバイスのビューポート要求に基づく観測可能エリアは、各要求を最適に満たすことができるように変更される。
【００１５】
本発明の別の特徴が請求項５及び請求項１１において記述される。
【００１６】
監視カメラが、観測された画像を（例えば、長方形タイルに）細分して符号化するタイル生成カメラである場合、最適化動作は、監視カメラの全観測可能エリアからの／のうちの複数の部分を選択する動作を含むことができる。最適化動作に合わせて、観測可能エリアをカバーする複数のタイルから少なくとも１つのタイルを選択することによって、前記複数の監視クライアントデバイスの各監視クライアントデバイスのビューポート要求に基づく観測可能エリアは、各要求を最適に満たすことができるように変更される。
【００１７】
本発明の別の特徴が請求項６及び請求項１２において記述される。
【００１８】
最適化動作は、監視カメラによってアルゴリズムを適用することを含み、そのアルゴリズムは、そのアルゴリズムは、観測可能エリアから要素を選択するフィルタリングアルゴリズムとすることができ、その選択は、各要求を最適に満たすことができるように、複数の監視クライアントデバイスの各監視クライアントデバイスのビューポート要求に基づいて実行される。
【００１９】
特許請求の範囲において用いられる用語「含む（備える）（ｃｏｍｐｒｉｓｉｎｇ）」は、それ以降に列挙される手段に限定されると解釈されるべきでないことに留意されたい。したがって、「手段Ａ及びＢを備えるデバイス」という言い回しの範囲は、構成要素Ａ及びＢだけからなるデバイスに限定されるべきではない。本発明に関して、そのデバイスの関連する構成要素がＡ及びＢだけであることを意味する。
【００２０】
同様に、特許請求の範囲において同じく用いられる用語「結合される」は、直接の接続のみに限定されると解釈されるべきでないことに留意されたい。したがって、「デバイスＢに結合されるデバイスＡ」という言い回しの範囲は、デバイスＡの出力がデバイスＢの入力に直接接続されるデバイス又はシステムに限定されるべきではない。Ａの出力とＢの入力との間に経路が存在し、その経路は他のデバイス又は手段含む経路とすることができることを意味する。
【００２１】
添付の図面とともに取り上げられる以下の実施形態の説明を参照することによって、本発明の上記の目的及び特徴並びに他の目的及び特徴が更に明らかになり、本発明そのものも最も良く理解されることになる。
【図面の簡単な説明】
【００２２】
【図１】本発明の実施態様が実現されるビデオ監視システムの機能を表す図である。
【図２】本発明によるビデオ監視システムの監視サーバＶＳＳの機能を表す図である。
【図３】それぞれの監視クライアントデバイスＳＣＤ１、ＳＣＤ２、ＳＣＤ３の初期観測可能エリア及び最初に要求されたビューポートを表す図である。
【図４】それぞれの監視クライアントデバイスＳＣＤ１、ＳＣＤ２、ＳＣＤ３の最適化された観測可能エリア及び最初に要求されたビューポートを表す図である。
【発明を実施するための形態】
【００２３】
以下の節において、図面を参照しながら、本発明による方法及び関連するデバイスの実施態様が説明されることになる。本説明の第１の節では、図１及び図２において提示されるようなこのネットワークの主要要素が説明される。第２の節では、先に言及されたネットワーク要素と説明される手段との間の全ての接続が規定される。後続の節では、ビデオ監視のための方法の実際の実行が説明される。
【００２４】
本発明の第１の不可欠な要素は監視サーバＶＳＳであり、監視サーバは、各監視クライアントデバイスからのビューポート要求に基づいて前記複数の監視クライアントデバイスのＳＣＤ１、ＳＣＤ２、ＳＣＤ３の監視クライアントデバイスごとに、監視カメラによって取り込まれる画像から個々のビューポートを選択し、その後、これらのビューポートを、要求している複数のデバイスのそれぞれの要求しているクライアントデバイスに分配するためのサーバである。
【００２５】
ビューポートは、特定の監視クライアントが視認することに関心がある、監視カメラの観測可能エリアから選択された部分である。ビューポート要求は、要求している監視クライアントが関心を持っている監視カメラの観測可能エリアの指示である。
【００２６】
監視サーバＶＳＳはインターネット内に位置するサーバであるか、代替的には、監視カメラサイト内に位置するサーバである。
【００２７】
本発明の更なる不可欠な要素は監視カメラであり、監視カメラは、監視カメラＣＡＭの観測可能エリアのビデオ画像を取り込むことができ、その後、取り込まれた画像を監視サーバＶＳＳに向かって転送することができる。
【００２８】
そのような監視カメラはＰＴＺカメラ、タイル生成カメラ又はアクティブフィルタリングカメラとすることができる。
【００２９】
更なる不可欠な要素は監視クライアントデバイスＣＤ１、ＣＤ２、ＣＤ３である。
【００３０】
本実施形態では３つのそのような監視クライアントデバイスだけが説明されるが、通常、それよりも多くのそのようなデバイスが存在することになる。
【００３１】
そのような監視クライアントデバイスは、幾つかのディスプレイを備える制御室、タブレットＰＣ、スマートフォン又は監視カメラによって取り込まれるビデオ画像を受信するのに適した他のデバイスとすることができる。
【００３２】
本実施形態における監視カメラＣＡＭ及び監視サーバＶＳＳは、任意の適切なネットワークを介して結合される。１つの具体例は、カメラが街中に分散配置され、（無線又は有線）バックボーンネットワークに接続される場合である。それらのカメラは適切なストリームをＶＳＳに送信する。
【００３３】
さらに、監視サーバＶＳＳ及び監視クライアントデバイスＣＤ１、ＣＤ２、ＣＤ３もそれぞれネットワーク（無線又は有線）を介して結合され、サイズ及び能力が異なる（ＰＣ端末、タブレット及びスマートフォン）。
【００３４】
監視サーバＶＳＳは最初に、各監視クライアントデバイスＳＣＤ１、ＳＣＤ２、ＳＣＤ３からビューポート要求を受信することができるビューポート要求受信部ＶＲＲＰと、複数の監視クライアントデバイスの各監視クライアントデバイスからのビューポート要求に基づいて、監視カメラによって取り込まれる画像（カメラの観測可能エリア）から、複数の監視クライアントデバイスＳＣＤ１、ＳＣＤ２、ＳＣＤ３の監視クライアントデバイスごとに個々のビューポートを選択するように構成されたビューポート選択部ＶＳＰとを備える。監視サーバＶＳＳは、監視カメラＣＡＭの観測可能エリアをカバーする取り込まれたビデオ画像を受信するように構成された画像受信部ＩＲＰであって、その画像はその後、監視サーバＶＳＳに向かって転送される、画像受信部ＩＲＰと、要求されたビューポートを複数の監視クライアントデバイスＳＣＤ１、ＳＣＤ２、ＳＣＤ３の各監視クライアントデバイスに向かって転送するように構成されたビューポート転送部ＶＦＰとを更に備える。
【００３５】
監視サーバＶＳＳは、複数の監視クライアントデバイスの各監視クライアントデバイスからのビューポート要求に基づいて監視カメラＣＡＭに対して行われることになる最適化動作を決定するように構成されたビューポート最適化部ＶＯＰを更に備え、複数の監視クライアントデバイスＳＣＤ１、ＳＣＤ２、ＳＣＤ３の各監視クライアントデバイスのビューポート要求に基づいて監視可能エリアを最適化するために、最適化動作を実行するようにカメラＣＡＭに指示するように構成されたビューポート最適化指示部ＶＯＩＰを更に備える。
【００３６】
そのような指示は、カメラに対するシグナリングによって実行することができる。このシグナリングは、ＰＴＺ設定、符号化及び／又はフィルタリングパラメータを変更する、カメラへのＨＴＴＰコールの形をとることができる。他の手法は、ＲＴＳＰ又はプロプライエトリなカメラＡＰＩを用いる場合がある。ビューポート受信部ＶＲＲＰは入力端子Ｉ１を有し、その入力端子は同時に監視サーバＶＳＳの入力端子である。ビューポート受信部ＶＲＲＰは、出力でビューポート最適化部ＶＯＰの入力に結合され、ビューポート最適化部ＶＯＰは更に、出力でビューポート最適化指示部ＶＯＩＰの入力に結合され、ビューポート最適化指示部ＶＯＩＰは出力端子を更に有し、その出力端子は同時に監視サーバＶＳＳの出力端子Ｏ２である。
【００３７】
画像受信部ＩＲＰは入力端子Ｉ２を有し、その入力端子は同時に監視サーバＶＳＳの入力端子である。画像受信部ＩＲＰは更に、出力でビューポート選択部ＶＳＰの入力に結合され、ビューポート選択部ＶＳＰは更に、出力でビューポート転送部ＶＰＦの入力に結合される。
【００３８】
ビューポート転送部ＶＦＰは更に出力端子を有し、その出力端子は同時に監視サーバＶＳＳの出力端子Ｏ１である。
【００３９】
監視カメラＣＡＭは、前記複数の監視クライアントデバイスＳＣＤ１、ＳＣＤ２、ＳＣＤ３の各監視クライアントデバイスからのビューポート要求に基づいて観測可能エリアを最適化するための最適化動作を実行するように構成されたビューポート最適化実行部ＶＯＥＰを備える。
【００４０】
観測可能エリアＣＡＭがＰＴＺカメラである場合、ビューポート最適化実行部ＶＯＥＰは、前記カメラのパン、チルト又はズームのうちの１つを適応させることができる。
【００４１】
そうではなく、監視カメラＣＡＭが高精細度カメラである場合、ビューポート最適化実行部ＶＯＥＰは、前記カメラがタイル生成カメラ又はアクティブフィルタリングカメラである場合、前記観測可能エリアのタイルを選択することができる。
【００４２】
代替的には、又は更には、最適化動作は、監視カメラによるアルゴリズムの適用を含むことができ、そのアルゴリズムは、観測可能エリアから要素を選択するフィルタリングアルゴリズムとすることができ、その選択は、各要求を最適に満たすことができるように、複数の監視クライアントデバイスの各監視クライアントデバイスのビューポート要求に基づいて実行される。
【００４３】
あり得るアルゴリズムは、対象物（車、人）をフィルタリングにより除去し、それらの対象物だけを送信して、送信され、解釈される情報量を低減することができるものであろう。他のあり得るアルゴリズムとしては、ある形式の時間的サンプリングを実行し、特定の画像特性に焦点を合わせる（例えば、特定の速度で移動する画像内の点をフィルタリングにより除去する）こととするものもよいだろう。本発明を説明するために、監視カメラは最初に第１の観測可能エリアＯＡをカバーすると仮定する（図３を参照）。監視カメラＣＡＭは、監視カメラの観測可能エリアＯＡをカバーするビデオ画像を取り込み、その観測可能エリアは、監視カメラのパン、チルト及びズームによって決定される。その後、監視可能エリアＯＡをカバーする取り込まれた画像が監視サーバＶＳＳに向かって転送され、監視サーバＶＳＳは、それぞれの監視クライアントデバイスにおいて、監視カメラによって取り込まれたビデオ画像を描画するために、これらのビデオ画像を複数の監視クライアントデバイスＳＣＤ１、ＳＣＤ２、ＳＣＤ３の各監視クライアントデバイスに向かって完全に又は部分的に分配する。監視カメラによって取り込まれたビデオ画像が部分的に分配される場合、これは、全監視可能エリアＯＡのクロップ、例えば、ビューポートＶＰ１、ＶＰ２又はＶＰ３とすることができる。
【００４４】
さらに、複数の監視クライアントデバイスＳＣＤ１、ＳＣＤ２、ＳＣＤ３の各監視クライアントデバイスが特有のビューポート要求を送信する、すなわち、クライアントデバイスＳＤ１がビューポートＶＰ１を要求するビューポート要求を送信し、クライアントデバイスＳＤ２がビューポートＶＰ２を要求するビューポート要求を送信し、クライアントデバイスＳＤ３がビューポートＶＰ３を要求するビューポート要求を送信すると仮定する。それぞれの監視クライアントデバイスの各ビューポート要求は、監視サーバＶＳＳのビューポート受信部ＶＲＲＰによって受信される。その後、前記複数の監視クライアントデバイスＳＣＤ１、ＳＣＤ２、ＳＣＤ３の各監視クライアントデバイスからのビューポート要求に基づいて監視カメラに対して行われることになる最適化動作を決定するために、全てのビューポート要求が、ビューポート最適化部ＶＯＰによって解析される。ビューポート最適化部ＶＯＰは、監視クライアントデバイスＳＤ１及びＳＤ２によってそれぞれ要求されたビューポートＶＰ１及びＶＰ２を、カメラの観測可能エリアＯＡと完全には一致しないので（図３を参照）、現在のカメラ設定においてもたらすことができないと判断する。
【００４５】
監視カメラＣＡＭがＰＴＺカメラである場合の最適化動作は、要求された各ビューポートＶＰ１、ＶＰ２及びＶＰ３を監視カメラＣＡＭによってもたらすことができるように（図４を参照）、最適化された観測可能エリアＯＡ’が選択されるようなパン＝Ｐ、チルト＝Ｄ及びズーム＝Ａの値を求める。
【００４６】
さらに、最適化された観測可能エリアＯＡ’を選択するための最適化動作を決定した後に、ビューポート最適化指示部ＶＯＩＰは、カメラＣＡＭに、前記複数の監視クライアントデバイスＳＣＤ１、ＳＣＤ２、ＳＣＤ３の各監視クライアントデバイスの前記ビューポート要求に基づいて観測可能エリアを最適化するための最適化動作を実行する命令を送信し、それは、監視カメラＣＡＭによって要求された各ビューポートＶＰ１、ＶＰ２及びＶＰ３をもたらすことができるよう（図４を参照）、最適化された観測可能エリアＯＡ’がカメラＣＡＭによって選択されるように、カメラがパン＝Ｐ、チルト＝Ｄ及びズーム＝Ａの値を設定することを意味する。
【００４７】
ビューポート最適化実行部ＶＯＥＰによって、パン＝Ｐ、チルト＝Ｄ及びズーム＝Ａの値を設定した後に、カメラが最適化された全観測可能エリアＯＡ’をカバーするビデオ画像を取り込むことができるように、最適化された観測可能エリアＯＡ’がカメラＣＡＭによって選択される。最適化された観測可能エリアＯＡ’の取り込まれたビデオ画像は、監視サーバＶＳＳに向かって転送され、画像受信部ＩＲＰによって受信される。
【００４８】
その後、ビューポート選択部ＶＳＰが、各監視クライアントデバイスからのビューポート要求に基づいて、前記監視カメラによって取り込まれたビデオ画像から、それぞれの監視クライアントデバイスＳＣＤ１、ＳＣＤ２、ＳＣＤ３ごとに個々のビューポート、すなわち、ＶＰ１、ＶＰ２及びＶＰ３を選択する。実際には、最適化された観測可能エリアＯＡ’をカバーする取り込まれたビデオ画像は、取り込まれたビデオ画像からそれぞれのビューポートを選択可能にするために復号化される。その後、復号化された取り込まれたビデオ画像から、選択されたビューポートＶＰ１、ＶＰ２、ＶＰ３を生成した後に、それぞれのビューポートが適切な（要求する監視クライアントデバイスにおいてビューポートを適切に描画するために必要とされる）フォーマットに符号化される。
【００４９】
これらの符号化されたビューポートは、それぞれの監視クライアントデバイスにおいてこれらのビデオ画像を描画するために、ビューポート転送部ＶＦＰによって、それぞれの要求する監視クライアントデバイスＳＣＤ１、ＳＣＤ２、ＳＣＤ３に分配される。
【００５０】
最後に留意すべきは、本発明の実施形態が機能ブロックに関してこれまで説明されたことである。先に与えられた、これらのブロックの機能的な説明から、これらのブロックの実施形態をよく知られている電子構成要素を用いていかに製造することができるかは、電子デバイスを設計する当業者にとって明らかであろう。それゆえ、機能ブロックの内容の詳細なアーキテクチャは与えられない。
【００５１】
本発明の原理が特定の装置との関連でこれまでに説明されてきたが、本説明は一例として行われるにすぎず、添付の特許請求の範囲において規定されるような、本発明の範囲に関する制限として行われるものでないことを明確に理解されたい。
【図１】
2015506622.tif 000003
【図２】
2015506622.tif 000004
【図３】
2015506622.tif 000005
【図４】
2015506622.tif 000006
【手続補正書】
【提出日】平成26年9月2日(2014.9.2)
【手続補正１】
【補正対象書類名】図面
【補正対象項目名】図２
【補正方法】変更
【補正の内容】
【図２】
2015506622.tif 000007
【国際調査報告】
2015506622.tif 000008
2015506622.tif 000009